(57)【要約】【課題】自由度が高い上下左右の効率的な空間利用、及び、大小や形状の様々なゴミ袋の利用、並びに、ゴミ箱自体の清潔さを容易に保つこと。【解決手段】金属（またはプラスチック等）製の骨組みでできた概ね直方体の四角錐台（角錐または円錐台）状のもので、一段目の上部に二段目（逆四角錐台）を置くためのＵまたはＶ状の受部４カ所程度を上部に有し、三段目（四角錐台）、四段目（逆四角錐台）も同様の構造で何段でも自由に連結（乗せるだけ）または取り外しができる多段式とする。また、上部４辺に各３カ所（計１２カ所）程度のカギ（レまたはＬ型等）状のフック（突起）を有したもので、ゴミ袋の大きさに合わせて任意の位置のフックを利用する。更に、当該骨組みの周囲４面に、上部４カ所に輪状ひも付き且つその延長線上の下部約半分に切り込みの入った覆い布（またはビニール製）を上記の受部に取り付けたゴミ箱。【選択図】図１
0003141039.tif 000002
【実用新案登録請求の範囲】
【請求項１】
金属（またはプラスチック等）製の骨組みでできた軽い概ね直方体の四角錐台（角錐または円錐台）状のもので、一段目の上部に合致させて二段目（逆四角錐台）を置くためのＵまたはＶ状の受部４カ所程度を上部に有し、三段目（四角錐台）、四段目（逆四角錐台）も同様の構造で何段でも自由に連結（乗せるだけ）または取り外し（持ち上げるだけ）ができる多段式ゴミ箱（骨組み）の構造。
【請求項２】
四角錐台の場合は、上部４辺に各３カ所（計１２カ所）程度のカギ（レまたはＬ型等）状のフック（突起）を下向きに有したゴミ箱（骨組み）の構造。
【請求項３】
四角錐台の場合は、当該骨組みの周囲４面に、上部４カ所に輪状ひも付き且つその延長線上の下部約半分に切り込み４カ所の入った覆い布（またはビニール製）を上記ＵまたはＶ状の受部４カ所にぶら下げて取り付けた構造。
【考案の詳細な説明】
【技術分野】
【０００１】  本考案は、ゴミを捨てる際に効率よくリサイクル資源と処分ゴミを分別するためのゴミ箱である。
【背景技術】
【０００２】  特許公開２００４−２１７４２０。特許公開平１１−１９３１０１。
従来のゴミ箱は、水平方向の空間が多く必要な構造や、たとえ上下利用がなされていたとしても上下段数や各区分ゴミ箱の大きさに相応の制約があった。また、その各区分ゴミ箱の大きさによりゴミ袋の大きさ等が相当の制約を受けた。更に、長く使用して汚れたゴミ箱を、清潔に保つことが容易ではなかった。
【考案の開示】
【考案が解決しようとする課題】
【０００３】  自由度が高い上下左右の効率的な空間利用がなされていない。【０００４】  大小や形状の様々なゴミ袋を利用しづらい。【０００５】  ゴミ箱自体の清潔さを容易に保つことができない。
【課題を解決するための手段】
【０００６】  金属（またはプラスチック等）製の骨組みでできた軽い概ね直方体の四角錐台（角錐または円錐台）状のもので、一段目の上部に合致させて二段目（逆四角錐台）を置くためのＵまたはＶ状の受部４カ所程度を上部に有し、三段目（四角錐台）、四段目（逆四角錐台）も同様の構造で何段でも自由に連結（乗せるだけ）または取り外し（持ち上げるだけ）ができる多段式とする。【０００７】  四角錐台の場合は、上部４辺に各３カ所（計１２カ所）程度のカギ（レまたはＬ型等）状のフック（突起）を下向きに有したもので、ゴミ袋の大きさに合わせて任意の位置のカギ状フックを利用する。【０００８】  四角錐台の場合は、当該骨組みの周囲４面に、上部４カ所に輪状ひも付き且つその延長線上の下部約半分に切り込み４カ所の入った覆い布（またはビニール製）を上記ＵまたはＶ状の受部４カ所にぶら下げて取り付ける。
【考案の効果】
【０００９】  使用者自らがゴミ箱の段数を選択でき何段でも自由に連結（乗せるだけ）または取り外し（持ち上げるだけ）ができるので、アパートやマンション等のたとえ狭い家でも、ゴミの分別に適した自由度が高い上下左右の効率的な空間利用ができる。【００１０】  例えば一段目と二段目のゴミ箱を一体として大きなゴミ袋の利用ができ、三段目は小さな３つのゴミ袋を各々任意のカギ状フックに引っかけること（手提げ部分のないゴミ袋は突き刺すことも可）により、大小や形状の様々なゴミ袋を利用できる。【００１１】  本考案ゴミ箱の骨組みの周囲にセットした、受部に引っかけるための輪状ひも付きで且つゴミの出し入れを容易にするための当該輪状ひもの延長線上の下部約半分に切り込みの入った覆い布（またはビニール製）を、簡単に取り外す（着せ替えする）ことができるので、洗濯などが可能でゴミ箱自体の清潔を容易に保つことができる。更に、当該覆い布の柄（色）の相異によりゴミの種類を判別できる。
【考案を実施するための最良の形態】
【００１２】  ゴミ箱の上部と下部の各ワク（骨組み）（四角錐及び逆四角錐の場合は４辺）の大きさの差を２ｃｍ程度とすることにより、ゴミ箱利用時の重ね方とは上下逆に重ねる（小さい方のワクを全部下にする）ことにより在庫（保管）の容量を小さく、また発送するときも同様に容量を小さくすることができる。
【図面の簡単な説明】
【図１】本考案の斜視図（一段目と二段目の例示）である。
【図２】本考案の骨組みの周囲に掛ける覆い布を広げた場合の図である。
【符号の説明】
１  上段（二段目）ゴミ箱の受部（ＵまたはＶ状等）
２  上段（三段目）ゴミ箱の受部（ＵまたはＶ状等）
３  カギ状のフック（レまたはＬ型等）
４  輪状ひも
５  切り込み
【図１】
0003141039.tif 000003
【図２】
0003141039.tif 000004
【手続補正書】
【提出日】平成19年10月4日(2007.10.4)
【手続補正１】
【補正対象書類名】実用新案登録請求の範囲
【補正対象項目名】全文
【補正方法】変更
【補正の内容】
【実用新案登録請求の範囲】
【請求項１】
金属又はプラスチック製の骨組みでできた概ね直方体の四角錐台又は多角錐台又は円錐台状のもので、当該一段目骨組みの上部に合致させて、周囲寸法の上下が逆になった逆四角錐又は逆多角錐又は逆円錐台状の二段目の骨組みを置くためのＵ又はＶ状の受部４カ所程度を上部に有し、一段目と同型同寸法の三段目、二段目と同型同寸法の四段目も同様の受部を上部に有した構造で、何段でも自由に乗せるだけの連結又は持ち上げるだけの取り外しができる多段式ゴミ箱の構造。
【請求項２】
請求項１における四角錐台の場合は、上部４辺に各３カ所計１２カ所程度のレ又はＬ型のカギ状の突起を下向きに有することを特徴とした請求項１記載のゴミ箱の構造。
【請求項３】
請求項１における四角錐台の場合は、請求項２の骨組みの周囲４面に、上部４カ所に輪状ひも付き且つその延長線上の下部約半分に切り込み４カ所の入った覆い布又はビニール製の覆いを上記骨組み上部のＵ又はＶ状の受部４カ所にぶら下げて取り付けることを特徴とした請求項１記載のゴミ箱の構造。
【手続補正３】
【補正対象書類名】明細書
【補正対象項目名】全文
【補正方法】変更
【補正の内容】
【考案の詳細な説明】
【技術分野】
【０００１】  本考案は、ゴミを捨てる際に効率よくリサイクル資源と処分ゴミを分別するためのゴミ箱である。
【背景技術】
【０００２】  特許公開２００４−２１７４２０。特許公開平１１−１９３１０１。
従来のゴミ箱は、水平方向の空間が多く必要な構造や、たとえ上下利用がなされていたとしても上下段数や各区分ゴミ箱の大きさに相応の制約があった。また、その各区分ゴミ箱の大きさによりゴミ袋の大きさ等が相当の制約を受けた。更に、長く使用して汚れたゴミ箱を、清潔に保つことが容易ではなかった。
【考案の開示】
【考案が解決しようとする課題】
【０００３】  自由度が高い上下左右の効率的な空間利用がなされていない。【０００４】  大小や形状の様々なゴミ袋を利用しづらい。【０００５】  ゴミ箱自体の清潔さを容易に保つことができない。
【課題を解決するための手段】
【０００６】  金属又はプラスチック製の骨組みでできた概ね直方体の四角錐台又は多角錐台又は円錐台状のもので、当該一段目骨組みの上部に合致させて、周囲寸法の上下が逆になった逆四角錐又は逆多角錐又は逆円錐台状の二段目の骨組みを置くためのＵ又はＶ状の受部４カ所程度を上部に有し、一段目と同型同寸法の三段目、二段目と同型同寸法の四段目も同様の受部を上部に有した構造で、何段でも自由に乗せるだけの連結又は持ち上げるだけの取り外しができる多段式とする。【０００７】  四角錐台の場合は、上部４辺に各３カ所計１２カ所程度のレ又はＬ型のカギ状の突起を下向きに有したもので、ゴミ袋の大きさに合わせて任意の位置のカギ状突起を利用する。【０００８】  四角錐台の場合は、当該骨組みの周囲４面に、上部４カ所に輪状ひも付き且つその延長線上の下部約半分に切り込み４カ所の入った覆い布又はビニール製覆いを上記骨組み上部のＵ又はＶ状の受部４カ所にぶら下げて取り付けるため、取り外しが簡単で洗濯が容易である。
【考案の効果】
【０００９】  使用者自らがゴミ箱の段数を選択でき何段でも自由に乗せるだけの連結又は持ち上げるだけの取り外しができるので、アパートやマンション等のたとえ狭い家でも、ゴミの分別に適した自由度が高い上下左右の効率的な空間利用ができる。【００１０】  例えば一段目と二段目のゴミ箱を一体として大きなゴミ袋の利用ができ、三段目は小さな３つのゴミ袋を各々任意のカギ状突起に引っかけたり又手提げ部分のないゴミ袋は突き刺したりすることにより、大小や形状の様々なゴミ袋をゴミの量や種類に合わせて利用できる。【００１１】  本考案ゴミ箱の骨組みの周囲にセットした、受部に引っかけるための輪状ひも付きで且つゴミの出し入れを容易にするための当該輪状ひもの延長線上の下部約半分に切り込みの入った覆い布又はビニール製覆いを、簡単に取り外し着せ替えすることができるので、洗濯などが可能でゴミ箱自体の清潔を容易に保つことができる。更に、当該覆い布の柄や色の相異によりゴミの種類を判別できる。
【考案を実施するための最良の形態】
【００１２】  四角錐及び逆四角錐台の場合は、ゴミ箱骨組みの上部と下部の４辺の各ワクの大きさの差を２ｃｍ程度とすることにより、小さい方のワクを全部下にして、ゴミ箱利用時の重ね方とは上下逆に重ねることにより在庫又は保管の容量を小さく、また発送するときも同様に容量を小さくすることができる。
【図面の簡単な説明】
【図１】本考案の斜視図（一段目と二段目の例示）である。
【図２】本考案の骨組みの周囲に掛ける覆い布を広げた場合の図である。
【符号の説明】
１  上段（二段目）ゴミ箱の受部（Ｕ又はＶ状）。
２  上段（三段目）ゴミ箱の受部（Ｕ又はＶ状）。
３  カギ状のレまたはＬ型の突起。
４  輪状ひも
５  切り込み
ａ  一辺の長さ
ｂ  一辺の長さ
【手続補正４】
【補正対象書類名】図面
【補正対象項目名】全図
【補正方法】変更
【補正の内容】
【図１】
0003141039.tif 000005
【図２】
0003141039.tif 000006
【手続補正書】
【提出日】平成20年1月16日(2008.1.16)
【手続補正１】
【補正対象書類名】実用新案登録請求の範囲
【補正対象項目名】全文
【補正方法】変更
【補正の内容】
【実用新案登録請求の範囲】
【請求項１】
金属又はプラスチック製の骨組みでできた概ね直方体の四角錐台又は多角錐台又は円錐台状のもので、当該一段目骨組みの上部に合致させて、周囲寸法の上下が逆になった逆四角錐又は逆多角錐又は逆円錐台状の二段目の骨組みを置くためのＵ又はＶ状の受部４カ所程度を上部に有し、一段目と同型同寸法の三段目、二段目と同型同寸法の四段目も同様の受部を上部に有した構造で、何段でも自由に乗せるだけの連結又は持ち上げるだけの取り外しができる多段式ゴミ箱の構造。
【請求項２】
四角錐台の骨組み構造の場合は、当該骨組みの上部４辺に各３カ所計１２カ所程度のレ又はＬ型のカギ状の突起を下向きに有することを特徴とした請求項１記載のゴミ箱の構造。
【請求項３】
四角錐台の骨組み構造の場合は、当該骨組みの周囲４面に、上部４カ所に輪状ひも付き且つその延長線上の下部約半分に切り込み４カ所の入った覆い布又はビニール製の覆いを当該骨組み上部のＵ又はＶ状の受部４カ所にぶら下げて取り付けることを特徴とした請求項２記載のゴミ箱の構造。